(57)【要約】【課題】  端子の接続設定の変更が容易な、ユーザにとって利便性の高いアンプを提供する。【解決手段】  アンプ１０は信号種毎に複数の入力端子Ｔin…を備える。第２のセレクタ１６は、複数の入力端子Ｔinのいずれか１つを順次選択する。入力端子Ｔinに信号が入力されているとき、入力された信号は同期分離ＩＣ１８に出力される。同期分離ＩＣ１８は信号から垂直同期信号を取り出し、コントローラ２６に出力する。コントローラ２６は垂直同期信号を検出したとき、選択された入力端子Ｔinにソース機器が接続されていると判別する。接続を検出したコントローラ２６は、ＧＵＩプロセッサ２０を制御して表示部２４に入力端子Ｔinの接続状態を示すＧＵＩ表示を表示させる。【選択図】  図１
2005277840.tif 000002
【特許請求の範囲】
【請求項１】
信号種毎に複数ずつ設けられ、外部機器からの信号が入力される入力端子と、
前記入力端子の前記外部機器との接続状態を表示する表示部と、
を備える、ことを特徴とするアンプ。
【請求項２】
信号種毎に複数ずつ設けられ、外部機器からの信号が入力される入力端子と、
前記入力端子のいずれが前記外部機器に接続されているかを判別する判別部と、
前記判別部が判別した判別結果に基づいて表示処理信号を作成する表示処理部と、
前記表示処理部が作成した表示処理信号に基づいて、前記入力端子の前記外部機器との接続状態を表示する表示部と、
を備える、ことを特徴とするアンプ。
【請求項３】
前記入力端子のいずれか１つを選択して前記信号を内部に導くセレクタと、
前記外部機器に接続された前記入力端子を、前記セレクタに選択させるようユーザが指示入力可能な入力部と、
をさらに備える、ことを特徴とする請求項２に記載のアンプ。
【請求項４】
前記入力端子のいずれか１つを選択して前記信号を内部に導くセレクタをさらに備え、
前記判別部は、前記セレクタが、前記外部機器に接続された前記入力端子を選択していないと判別したとき、自動的に前記セレクタに前記入力端子を選択させる、ことを特徴とする請求項２に記載のアンプ。
【請求項５】
前記入力端子のいずれか１つを選択して前記信号を検出用に内部に導く検出用セレクタと、
前記検出用セレクタに接続され、前記検出用セレクタから出力された前記信号から検出信号を生成する検出信号生成部と、をさらに備え、
前記判別部は、前記検出信号生成部が生成した前記検出信号に基づいて前記入力端子のいずれが前記外部機器に接続されているかを判別する、ことを特徴とする請求項２乃至４のいずれか１項に記載のアンプ。
【請求項６】
前記表示部は、前記入力端子にそれぞれ対応するファンクション名を表示し、
前記入力部は、前記ファンクション名の変更入力をユーザが入力可能である、
ことを特徴とする請求項２乃至５のいずれか１項に記載のアンプ。
【発明の詳細な説明】
【技術分野】
【０００１】
本発明は、複数のＡＶ（Audio Visual）機器が接続されるアンプに関する。
【背景技術】
【０００２】
ＡＶシステムを構成するアンプには、ビデオレコーダ、プレーヤ、放送チューナ等のソース機器が接続される。このようなシステムを構築する際、ユーザは、アンプに設けられた複数の入力端子に、各機器につながるケーブルをそれぞれ接続する。
【０００３】
アンプの端子部には、各機器がそれぞれ正しく接続されるよう、ファンクションの表示が印刷等されている。ユーザは各端子にコードを間違えないように１つ１つ確認しながら接続する。この作業の煩雑さを軽減するため、任意の端子にコードを接続し、接続後、端子ごとに機器に対応するファンクションを確認、設定可能なアンプが開発されている（例えば、非特許文献１参照）。
【０００４】
【非特許文献１】製品カタログ［平成１６年３月１６日検索］、インターネット＜ＵＲＬ：http://www.usa.denon.com/catalog/pdfs/avr2803%20DFU.pdf＞
【０００５】
上記アンプには、本体の端子部に「ＩＮＰＵＴ−１」、「ＩＮＰＵＴ−２」、…といった表示が設けられている。ユーザはまずアンプにテレビを接続し、次いで、他の機器につながるケーブルをアンプ本体の任意の端子に接続する。このとき、ユーザは、どの端子にどの機器を接続したかを記憶しておく。次いで、ユーザはテレビ画面に表示された設定画面上で、リモートコントローラ等を用いて、アンプのファンクションを割り当てながら作業する。
【発明の開示】
【発明が解決しようとする課題】
【０００６】
しかし、上記アンプは、接続の際、どの端子にどの機器を接続したかを覚えていなければならない。また、確認および設定は、テレビ等の他の表示装置を介さなければならない。
【０００７】
さらに、設定画面に表示されるのは、あくまでもユーザが自ら設定した内容であり、自動的に接続内容が反映されるものではない。したがって、ＡＶシステムを新たに構成し、設定内容が変更された際には、逆に画面に表示された元の設定内容について過った変更を加えてしまうおそれがある。
【０００８】
このように、従来の、端子の接続設定を変更可能なアンプには、テレビ等の他の表示機器を接続した状態でなければ設定することができず、また、現実の設定内容が設定画面に反映されるわけではないため、設定の変更などがしづらい、などの不便さがあった。
【０００９】
上記事情を鑑みて、本発明は、端子の接続設定の変更が容易な、ユーザにとって利便性の高いアンプを提供することを目的とする。
【課題を解決するための手段】
【００１０】
上記目的を達成するため、本発明の第１の観点に係るアンプは、
信号種毎に複数ずつ設けられ、外部機器からの信号が入力される入力端子と、
前記入力端子の前記外部機器との接続状態を表示する表示部と、
を備える。
【００１１】
上記目的を達成するため、本発明の第２の観点に係るアンプは、
信号種毎に複数ずつ設けられ、外部機器からの信号が入力される入力端子と、
前記入力端子のいずれが前記外部機器に接続されているかを判別する判別部と、
前記判別部が判別した判別結果に基づいて表示処理信号を作成する表示処理部と、
前記表示処理部が作成した表示処理信号に基づいて、前記入力端子の前記外部機器との接続状態を表示する表示部と、
を備える。
【００１２】
上記構成のアンプは、
前記入力端子のいずれか１つを選択して前記信号を内部に導くセレクタと、
前記外部機器に接続された前記入力端子を、前記セレクタに選択させるようユーザが指示入力可能な入力部と、
をさらに備えてもよい。
【００１３】
上記構成のアンプは、
前記入力端子のいずれか１つを選択して前記信号を内部に導くセレクタをさらに備えてもよく、
前記判別部は、前記セレクタが、前記外部機器に接続された前記入力端子を選択していないと判別したとき、自動的に前記セレクタに前記入力端子を選択させてもよい。
【００１４】
上記構成のアンプは、
前記入力端子のいずれか１つを選択して前記信号を検出用に内部に導く検出用セレクタと、
前記検出用セレクタに接続され、前記検出用セレクタから出力された前記信号から検出信号を生成する検出信号生成部と、をさらに備えてもよく、
前記判別部は、前記検出信号生成部が生成した前記検出信号に基づいて前記入力端子のいずれが前記外部機器に接続されているかを判別してもよい。
【００１５】
上記構成のアンプにおいて、
前記表示部は、前記入力端子にそれぞれ対応するファンクション名を表示してもよく、
前記入力部は、前記ファンクション名の変更入力をユーザが入力可能であってもよい。
【発明の効果】
【００１６】
本発明によれば、端子の接続設定の変更が容易な、ユーザにとって利便性の高いアンプが提供される。
【発明を実施するための最良の形態】
【００１７】
本発明に係る実施の形態について、以下、図面を参照して詳細に説明する。なお、以下に示す実施の形態は一例であり、これに限定されない。なお、本実施の形態のアンプは、例えば、ビデオレコーダ、プレーヤ、放送チューナ等のソース機器に接続され、これらのＡＶ機器から入力された信号に増幅等の処理を施し、テレビ等に出力する。
【００１８】
図１に、本発明の実施の形態に係るアンプの構成を示す。図１に示すアンプ１０は、複数の入力端子Ｔinと、デコーダ１２と、第１のセレクタ１４と、第２のセレクタ１６と、同期分離ＩＣ１８と、ＧＵＩプロセッサ２０と、エンコーダ２２と、表示部２４と、コントローラ２６と、を備える。
【００１９】
入力端子Ｔinは、信号の種類毎に複数、図１に示す例では５つずつ設けられている。すなわち、本例では、ＶＩＤＥＯ、Ｓ−ＶＩＤＥＯ、ＣＯＭＰＯＮＥＮＴ、ＲＧＢおよびＤＶＩにつき、それぞれ複数設けられている。本実施例では、ビデオ信号の入力処理を例として説明する。入力端子Ｔinは、例えば、アンプ１０の図示しない本体の背面側に、例えば、「ＶＩＤＥＯ−１」、「ＶＩＤＥＯ−２」、…、「ＶＩＤＥＯ−５」のような表示とともに配置されている。
【００２０】
デコーダ１２は、入力端子Ｔinのいずれかから入力されたビデオ信号をデジタル信号にデコードする。
【００２１】
第１のセレクタ１４は、入力端子Ｔinとデコーダ１２との間に設けられている。第１のセレクタ１４は、入力端子Ｔinのいずれか１つを、デコーダ１２と接続する。図示しないソース機器に接続された入力端子Ｔinのいずれかと、デコーダ１２とが第１のセレクタ１４により選択的に接続されたとき、ビデオ信号が内部（アンプ１０）に入力される。
【００２２】
第２のセレクタ１６は、第１のセレクタ１４と同様に、複数の入力端子Ｔinに接続され、そのいずれかの選択によりビデオ信号がアンプ１０に入力可能となっている。後述するように、第２のセレクタ１６は、コントローラ２６により、周期的に各入力端子Ｔinを選択して、接続検出のための信号を後述する同期分離ＩＣ１８に供給する。
【００２３】
同期分離ＩＣ１８は、第２のセレクタ１６の出力に接続されている。同期分離ＩＣ１８は、入力端子Ｔinから第２のセレクタ１６を介してビデオ信号が入力されたとき、垂直同期信号（Ｖ−ｓｙｎｃ）を取り出して、コントローラ２６に出力する。以下で詳述するように、この垂直同期信号は、各入力端子Ｔinにソース機器が接続されていることを示す信号であり、この信号に基づいてコントローラ２６は入力端子Ｔinへの機器の接続を検出する。
【００２４】
表示部２４は、ＬＣＤ（Liquid Crystal Display）、有機ＥＬ（Electro-Luminescence）等から構成され、例えば、アンプ１０の図示しない本体の前面に配置されている。また、表示部２４は、タッチパネル等の入力部２４ａを備え、操作信号を入力するためのユーザインタフェースを構成する。このため、表示部２４は、ユーザが見やすく、操作しやすいよう、好ましくは、十分な広さの画面を有する。
【００２５】
表示部２４には、アンプ１０の出力設定（音量、バランス等）が表示され、ユーザは画面上で入力部２４ａを介して出力設定を変更入力することができる。また、後述するように、表示部２４には、入力端子Ｔinの接続設定を示す画面が表示され、ユーザはその設定内容を変更するよう入力することができる。入力部２４ａが受けたユーザからの入力指示は、後述するコントローラ２６に送出される。
【００２６】
ＧＵＩプロセッサ２０は、デコーダ１２に接続されている。ＧＵＩプロセッサ２０は、入力端子Ｔinの接続状態に対応するＧＵＩ（Graphic User Interface）を作成する。コントローラ２６は、同期分離ＩＣ１８から受け取った垂直同期信号に基づいて入力端子Ｔinの接続状態を判別し、これに対応するＧＵＩをＧＵＩプロセッサ２０に作成させる。ＧＵＩプロセッサ２０は、作成したＧＵＩ表示信号を、デコーダ１２から受け取ったデジタルビデオ信号とともに出力する。
【００２７】
エンコーダ２２は、デジタルビデオ信号をエンコードしてアナログビデオ信号として出力端子Ｔoutに接続されたテレビ等の機器に出力する。また、エンコーダ２２は、ＧＵＩプロセッサ２０から受け取ったＧＵＩ表示信号をアナログＲＧＢ信号に変換して表示部２４に出力する。ＧＵＩ表示信号が変換されたアナログＲＧＢ信号を受け取った表示部２４は、これに基づいてＧＵＩを表示する。ＧＵＩとして表示された、入力端子Ｔin等の設定に対してユーザは設定変更等の指示を入力することができる。
【００２８】
コントローラ２６は、図示しないＲＯＭ（Read Only Memory）、ＲＡＭ（Random Access Memory）、ＥＥ−ＰＲＯＭ（Electrically Erasable Programmable ROM）等の不揮発性メモリ等を備え、アンプ１０全体の動作を制御する。
【００２９】
なお、理解を容易なものとするため図示しないが、上述した図１に示す第１のセレクタ１４、第２のセレクタ１６等は、他の信号種についても同様に設けられている。
【００３０】
以下、上記構成のアンプ１０が、入力端子Ｔinの接続設定を表示する場合のフローについて説明する。なお、以下に示すフローは一例であり、同様の結果が得られる構成であれば、これに限られない。
【００３１】
図２に、コントローラ２６が行う表示処理のフローの一例を示す。
アンプ１０が起動されている状態で、コントローラ２６は以下の接続確認処理を常時または周期的に行っている。まず、コントローラ２６は、第２のセレクタ１６を切り替えて、１つの入力端子Ｔinを選択的に接続する（ステップＳ１１）。
【００３２】
コントローラ２６は選択した入力端子Ｔinが機器に接続されているか否かを判別する（ステップＳ１２）。具体的には、コントローラ２６は、入力端子Ｔinから同期分離ＩＣ１８を介して垂直同期信号（Ｖ−ｓｙｎｃ）を受け取ったか否かを判別する。なお、ここで、表示設定を確認するときには、アンプ１０に他のソース機器を接続し、さらに、この機器からアンプ１０にビデオ信号を入力している。
【００３３】
選択した入力端子Ｔinに機器が接続されていないと判別した場合（ステップＳ１２；Ｎｏ）、すなわち、垂直同期信号を検出しない場合、コントローラ２６は、第２のセレクタ１６を切り替えて、次の入力端子Ｔinについてスキャンする（ステップＳ１１）。
【００３４】
選択した入力端子Ｔinに機器が接続されていると判別した場合（ステップＳ１２；Ｙｅｓ）、すなわち、垂直同期信号を検出した場合、コントローラ２６は、ＧＵＩプロセッサ２０に対応する入力端子Ｔinを強調して表示するＧＵＩ表示を作成するよう指示信号を送る。ＧＵＩプロセッサ２０は、指示に応じたＧＵＩ表示信号を表示部２４に送る。
【００３５】
表示部２４は、エンコーダ２２によりアナログＲＧＢ信号に変換されたＧＵＩ表示信号に基づき、ＧＵＩを表示する。図３に、入力端子ＴinのＧＵＩ表示画面例を示す。
【００３６】
コントローラ２６の図示しない不揮発性メモリには、複数の各入力端子Ｔinへのファンクションの割り当てが記憶されている。例えば、図３においては、ＤＶＤのファンクションには、「ＶＩＤＥＯ」が「１」、「Ｓ−ＶＩＤＥＯ」が「２」、「ＣＯＭＰＯＮＥＮＴ」が「４」、「ＲＧＢ」が「３」、「ＤＶＩ」が「２」にそれぞれ割り当てられている。コントローラ２６は、不揮発性メモリに記憶された割り当て内容に基づいて図３に示すような表示を表示部２４に表示させる。
【００３７】
図３に示す画面例では、ビデオ信号（ＶＩＤＥＯ）の５つの入力端子Ｔinのうち、入力端子Ｔin（図３中「５」）への機器の接続が検出されている。接続されていることは、例えば、その文字表示を、他の表示と比べて反転させて表示することによって強調表示される。
【００３８】
また、図３に示す画面例では、ビデオ信号以外の種類の信号についても、その接続状態が全体としてマトリクス状に表示されている。コントローラ２６は、他種の信号の入力を受ける複数の入力端子Ｔinについても同様の処理を行っており、各信号種について、端子に機器が接続されている場合には、対応するマトリクス領域を強調を表示する。
【００３９】
このように、複数の入力端子Ｔinの接続設定が、アンプ１０の本体に設けられた表示部２４に表示されることから、ユーザは、テレビ等の表示機器を別途接続することなく容易かつ簡便に接続状態を把握することができる。
また、複数の信号種についての接続設定がマトリクス状に表示されていることにより、ユーザは、一目でそれぞれの関係より容易に直感的に把握できる。
【００４０】
さらに、本実施の形態のアンプ１０は、表示部２４の入力部２４ａを介して、入力端子Ｔinの接続を切り替えることができる。過ったファンクションの入力端子Ｔin（例えば、「１」ではなく「５」）に機器が接続されている場合、ユーザは、マトリクスの「５」領域をドラッグし、他のファンクション、例えば、（ＤＶＤ）に割り当てられている「１」領域にドロップし、これを入れ替える（図４参照）。この入力指示を入力部２４ａから受けたコントローラ２６は、第１のセレクタ１４を正しい入力端子Ｔinへの接続に切り替える。また、このとき、コントローラ２６は、変更された割り当て内容を不揮発性メモリに更新して記憶する。このように、ユーザは任意の入力端子Ｔinに接続した後で、アンプ１０に設けられた表示部２４を介して、容易に接続を確認し、かつ、適切な接続に変更することができる、
【００４１】
以上のように、本発明に係る実施の形態においては、アンプ１０の本体に設けられた表示部２４に、入力端子Ｔinの接続状態が表示される。したがって、ユーザは、別途テレビ等を介することなく容易かつ簡便に接続状態を把握できる。また、複数の信号種に対する入力端子Ｔinについても、同一画面上で、好ましくは、マトリクス状に表示されるため、ユーザは一見して接続状態を把握できる。さらにまた、入力端子Ｔinへの接続についてファンクションが異なる場合でも、ＧＵＩを介して容易にこれを変更することができる。これらのことから、例えば、アンプ１０に複数の機器を接続する際、各ソース機器を入力の何番端子に挿入したのかをユーザが一々記憶しておく必要が無くなり、煩雑な接続作業を回避することができる。
【００４２】
本発明は、上記実施の形態に限られず、本発明の趣旨に反しない限り、種々の修正、変更、変形等が可能である。
【００４３】
上記実施の形態では、ＶＩＤＥＯ、Ｓ−ＶＩＤＥＯ、ＣＯＭＰＯＮＥＮＴ、ＲＧＢおよびＤＶＩといった種類の信号が入力されるものとした。しかし、信号種はこれに限らず、アナログおよび／またはデジタルのいかなる信号種であってもよいことは勿論である。
【００４４】
上記実施の形態では、コントローラ２６は、ビデオ信号から取り出される垂直同期信号に基づいて接続状態を判別するものとした。しかし、判別に用いる信号として、水平同期信号（Ｈ−ｓｙｎｃ）を用いてもよい。さらに、検出方法は同期分離に限らず、単に通電の有無を検出する方法などいかなる方法であってもよい。
【００４５】
上記実施の形態では、入力端子Ｔinの接続が適切でない場合には、ユーザが表示部２４の入力部２４ａを介して変更するものとした。しかし、ユーザではなく、コントローラ２６が自動的に第１のセレクタ１４の接続を変更するようにしてもよい（例えば、自動選択モードの設定を設ける）。
この場合、例えば、図５のフローに示すように、コントローラ２６は、他の機器との接続を検出したとき（ステップＳ５１；Ｙｅｓ）、さらに、自動選択モードが選定されているかどうかを判別する（ステップ５４）。自動選択モードが選定されている場合には、コントローラ２６は第１のセレクタ１４を現在第２のセレクタ１６が選択している入力端子Ｔinに切り替える（ステップＳ５５）。次いで、ＧＵＩの、選択後の入力端子Ｔinに対応する表示を強調して表示する（ステップＳ５６）。
この構成によれば、コントローラ２６が自動的に接続を変更することから、ユーザは、何の入力も行うことなく、極めて簡便にアンプ１０へ他の機器を接続することができる。
【００４６】
上記実施の形態において、さらに、ＧＵＩ表示に表示されるファンクション名をユーザが変更可能としてもよい。例えば、ユーザは、ＧＵＩ表示上のファンクション「ＡＵＸ」を他のファンクション（「ＤＶＤ−２」等）に変更したいとき、「ＡＵＸ」のマトリクス領域をタッチして選択入力する。このとき、入力部２４ａから入力信号を受け取ったコントローラ２６はＧＵＩプロセッサ２０に、例えば、図６に示すようなファンクション名を変更するための選択画面を表示させる。ユーザが表示されたファンクションから所望のものを選択入力することにより、入力端子Ｔinに対応するファンクション名が変更される。コントローラ２６は、新たなファンクション名を不揮発性メモリに更新して記憶する。
また、他に、ファンクション名をユーザが直接入力することにより自由に変更できるようにしてもよい。この場合、例えば、変更したいファクション名のマトリクス領域をＧＵＩ表示上で選択すると、コントローラ２６は、文字入力画面を表示部２４に表示させるよう制御する。ユーザは文字入力画面上で所望の名前を作成し、決定する入力をすると、ファンクション名が入力された名称に変更される。
【００４７】
上記実施の形態では、複数の機器が接続されるアンプを例として説明した。しかし、本発明は、アンプに限らず、複数の機器が接続される他のいかなる電子機器にも適用可能であることはいうまでもない。
【図面の簡単な説明】
【００４８】
【図１】本発明の実施の形態に係るアンプの構成を示すブロック図である。
【図２】本発明の実施の形態に係るアンプの処理動作を示すフロー図である。
【図３】本発明の実施の形態に係るアンプの画面表示例を示す図である。
【図４】本発明の実施の形態に係るアンプの画面表示例を示す図である。
【図５】本発明の変形例に係るアンプの処理動作を示すフロー図である。
【図６】本発明の変形例に係るアンプの処理動作を示すフロー図である。
【符号の説明】
【００４９】
１０  ：アンプ
１２  ：デコーダ
１４  ：第１のセレクタ
１６  ：第２のセレクタ
１８  ：同期分離ＩＣ
２０  ：ＧＵＩプロセッサ
２２  ：エンコーダ
２４  ：表示部
２４ａ：入力部
２６  ：コントローラ
Ｔin  ：入力端子
【図１】
2005277840.tif 000003
【図２】
2005277840.tif 000004
【図３】
2005277840.tif 000005
【図４】
2005277840.tif 000006
【図５】
2005277840.tif 000007
【図６】
2005277840.tif 000008